(57)【特許請求の範囲】
【請求項１】
発信されるべき識別番号を検知して、状態通知要求を前記識別番号宛てに送信して、前記発信前に前記識別番号を有する端末の現在状態を取得する第１携帯電話端末と、
自身の現在状態を保持し、前記状態通知要求を受信すると前記保持されている現在状態を含む状態通知応答を前記第１携帯電話端末の識別番号宛てに応答する第２携帯電話端末と、
前記第１携帯電話端末と前記第２携帯電話端末との間のデータ転送を行う回線システムと
を備え、
前記第２携帯電話端末は、前記状態通知応答として、通話中であれば通話中の応答を返し、運転中であれば運転中の応答を返し、通話不可であれば通話不可の応答を返し、状態通知拒否であれば状態通知拒否の応答を返し、同時に位置情報を返し、
前記回線システムは、前記第２携帯電話端末が圏外であれば、前記状態通知応答として、圏外の応答を返し、
前記第１携帯電話端末は、前記状態通知応答を受信すると、前記状態通知応答を基に、前記第２携帯電話端末の前記現在状態として、通話可能、通信中、運転中、通話不可、圏外、状態通知拒否のうち、該当する状態を表示し、前記位置情報を地図に対応させて表示する
携帯電話端末の状態通知システム。
【請求項２】
請求項１に記載の携帯電話端末の状態通知システムであって、
前記第１携帯電話端末と前記第２携帯電話端末は、前記状態通知要求および前記状態通知応答を、ショートメッセージサービス（ＳＭＳ）を用いて送受信し、前記回線システムから前記状態通知応答としてショートメッセージの転送不可通知であるＳＭＳ圏外応答を受信することで、対向側携帯電話端末が圏外であることを検知し、前記対向側携帯電話端末が圏外である場合、定期的に前記状態通知要求を前記識別番号宛てに送信して前記対向側携帯電話端末から前記状態通知応答を受信することで、前記対向側携帯電話端末が圏内に戻り圏外でなくなったことを検知する
前記状態通知要求
携帯電話端末の状態通知システム。
【請求項３】
請求項１または請求項２に記載の携帯電話端末の状態通知システムであって、
前記第２携帯電話端末は、予め設定された前記識別番号に対応する前記第１携帯電話端末からの前記状態通知要求にのみ、前記状態通知応答を応答する
携帯電話端末の状態通知システム。
【請求項４】
請求項１から請求項３までのいずれかに記載の携帯電話端末の状態通知システムであって、
前記第１携帯電話端末は、前記第１携帯電話端末に保存された前記識別番号を、前記第１携帯電話端末のユーザーが選択することによって発信されるべき識別番号を検知する
携帯電話端末の状態通知システム。
【請求項５】
請求項１から請求項４までのいずれかに記載の携帯電話端末の状態通知システムであって、
前記識別番号が、携帯電話端末に付与された電話番号または端末ＩＤである
携帯電話端末の状態通知システム。
【請求項６】
請求項１から請求項５までのいずれかに記載の携帯電話端末の状態通知システムであって、
前記第２携帯電話端末は、前記現在状態に対応する応答メッセージを予め保存して、前記応答メッセージを前記状態通知応答と共に前記第１携帯電話端末の識別番号宛てに応答する
携帯電話端末の状態通知システム。
【請求項７】
請求項１から請求項６までのいずれかに記載の携帯電話端末の状態通知システムであって、
前記第２携帯電話端末は、前記状態通知要求を受信した時に前記第２携帯電話端末の位置情報を取得し、前記位置情報を前記状態通知応答と共に前記第１携帯電話端末の識別番号宛てに応答する
携帯電話端末の状態通知システム。
【請求項８】
請求項７に記載の携帯電話端末の状態通知システムであって、
前記第２携帯電話端末は、予め設定された前記識別番号に対応する前記第１携帯電話端末からの前記状態通知要求にのみ、前記位置情報を前記状態通知応答と共に前記第１携帯電話端末の識別番号宛てに応答する
携帯電話端末の状態通知システム。
【請求項９】
請求項７または請求項８に記載の携帯電話端末の状態通知システムであって、
前記第１携帯電話端末は、前記状態通知応答を受信すると、前記状態通知応答に含まれた、前記位置情報を地図情報に対応させて表示する
携帯電話端末の状態通知システム。
【請求項１０】
発信されるべき識別番号を検知して、状態通知要求を前記識別番号宛てに送信して、前記発信前に前記識別番号を有する対向側携帯電話端末から前記対向側携帯電話端末の位置情報と共に前記対向側携帯電話端末の現在状態を含む状態通知応答を受信し、前記対向側携帯電話端末が圏外であれば回線システムから前記対向側携帯電話端末が圏外である旨の状態通知応答を受信し、前記受信した状態通知応答を基に、前記対向側携帯電話端末の現在状態として、通話可能、通信中、運転中、通話不可、圏外、状態通知拒否のうち、該当する状態を表示し、前記対向側携帯電話端末の位置情報を地図に対応させて表示し、更に、自身の現在状態を保持し、対向側携帯電話端末から状態通知要求を受信すると、前記保持されている現在状態を含む状態通知応答として、前記対向側携帯電話端末の識別番号宛てに、通話中であれば通話中の応答を返し、運転中であれば運転中の応答を返し、通話不可であれば通話不可の応答を返し、状態通知拒否であれば状態通知拒否の応答を返し、同時に自身の位置情報を返す
携帯電話端末。
【請求項１１】
請求項１０に記載の携帯電話端末であって、
前記状態通知要求および前記状態通知応答を、ショートメッセージサービス（ＳＭＳ）を用いて送受信し、前記回線システムから前記状態通知応答としてショートメッセージの転送不可通知であるＳＭＳ圏外応答を受信することで、前記対向側携帯電話端末が圏外であることを検知し、前記対向側携帯電話端末が圏外である場合、定期的に前記状態通知要求を前記識別番号宛てに送信して前記対向側携帯電話端末から前記状態通知応答を受信することで、前記対向側携帯電話端末が圏内に戻り圏外でなくなったことを検知する
携帯電話端末。
【請求項１２】
請求項１０または請求項１１に記載の携帯電話端末であって、
予め設定した前記識別番号に対応する前記対向側携帯電話端末からの前記状態通知要求にのみ、前記状態通知応答を応答する
携帯電話端末。
【請求項１３】
請求項１０から請求項１２までのいずれかに記載の携帯電話端末であって、
前記現在状態に対応する応答メッセージを予め保存して、前記応答メッセージを前記状態通知応答と共に前記対向側携帯電話端末へ応答する
携帯電話端末。
【請求項１４】
請求項１０から請求項１３までのいずれかに記載の携帯電話端末あって、
前記状態通知要求を受信した時に位置情報を取得し、前記位置情報を状態通知応答と共に前記対向側携帯電話端末へ応答する
携帯電話端末。
【請求項１５】
請求項１４に記載の携帯電話端末であって、
予め設定された前記識別番号に対応する前記状態通知要求にのみ、前記位置情報を状態通知応答と共に前記対向側携帯電話端末へ応答する
携帯電話端末。
【請求項１６】
発信されるべき識別番号を検知して、状態通知要求を前記識別番号宛てに送信して、前記発信前に前記識別番号を有する対向側携帯電話端末の現在状態を取得するステップと、
自身の現在状態を保持し、前記状態通知要求を受信すると前記保持されている現在状態を含む状態通知応答を、前記対向側携帯電話端末の識別番号宛てに応答するステップと、
回線システムを介して、前記状態通知要求および前記状態通知応答のデータ転送を行うステップと、
前記対向側携帯電話端末から状態通知要求を受信すると、状態通知応答として、通話中であれば通話中の応答を返し、運転中であれば運転中の応答を返し、通話不可であれば通話不可の応答を返し、状態通知拒否であれば状態通知拒否の応答を返し、同時に自身の位置情報を返すステップと、
前記対向側携帯電話端末の識別番号宛てに状態通知要求を送信した際に前記対向側携帯電話端末の位置情報と共に状態通知応答を受信するステップと、
前記対向側携帯電話端末が圏外であれば、前記回線システムから前記対向側携帯電話端末が圏外である旨の状態通知応答を受信するステップと、
前記受信した状態通知応答を基に、前記対向側携帯電話端末の現在状態として、通話可能、通信中、運転中、通話不可、圏外、状態通知拒否のうち、該当する状態を表示し、前記対向側携帯電話端末の位置情報を地図に対応させて表示するステップと
を備える
携帯電話端末の状態通知方法。
【請求項１７】
請求項１６に記載の携帯電話端末の状態通知方法であって、
前記回線システムから前記対向側携帯電話端末が圏外である旨の状態通知応答を受信するステップは、
前記状態通知要求および前記状態通知応答を、ショートメッセージサービス（ＳＭＳ）を用いて送受信するステップと、
前記回線システムから前記状態通知応答としてショートメッセージの転送不可通知であるＳＭＳ圏外応答を受信することで、前記対向側携帯電話端末が圏外であることを検知するステップと、
前記対向側携帯電話端末が圏外である場合、定期的に前記状態通知要求を前記識別番号宛てに送信して前記対向側携帯電話端末から前記状態通知応答を受信することで、前記対向側携帯電話端末が圏内に戻り圏外でなくなったことを検知するステップと
を含む
携帯電話端末の状態通知方法。
【請求項１８】
請求項１６または請求項１７に記載の携帯電話端末の状態通知方法であって、
前記送信した対向側携帯電話端末の識別番号宛てに応答するステップは、
予め設定された前記識別番号に対応する端末からの前記状態通知要求にのみ、前記状態通知応答を応答するステップ
を含む
携帯電話端末の状態通知方法。
【請求項１９】
請求項１６から請求項１８までのいずれかに記載の携帯電話端末の状態通知方法であって、
前記取得するステップは、
保存された前記識別番号を、ユーザーが選択することによって発信されるべき前記識別番号を検知するステップ
を含む
携帯電話端末の状態通知方法。
【請求項２０】
請求項１６から請求項１９までのいずれかに記載の携帯電話端末の状態通知方法であって、
前記識別番号は、携帯電話端末に付与された電話番号または、端末ＩＤである
携帯電話端末の状態通知方法。
【請求項２１】
請求項１６から請求項２０までのいずれかに記載の携帯電話端末の状態通知方法であって、
前記送信した対向側携帯電話端末の識別番号宛てに応答するステップは、
前記現在状態に対応する応答メッセージを予め保存して、前記応答メッセージを前記状態通知応答と共に前記対向側携帯電話端末の識別番号宛てに応答するステップ
を含む
携帯電話端末の状態通知方法。
【請求項２２】
請求項１６から請求項２１までのいずれかに記載の携帯電話端末の状態通知方法であって、
前記送信した対向側携帯電話端末の識別番号宛てに応答するステップは、
前記状態通知要求を受信した時に位置情報を取得し、前記位置情報を前記状態通知応答と共に前記対向側携帯電話端末の識別番号宛てに応答するステップ
を含む
携帯電話端末の状態通知方法。
【請求項２３】
請求項２２に記載の携帯電話端末の状態通知方法であって、
前記位置情報を前記状態通知応答と共に前記対向側携帯電話端末の識別番号宛てに応答するステップは、
予め設定された前記識別番号に対応する前記対向側携帯電話端末からの前記状態通知要求にのみ、前記位置情報を前記状態通知応答と共に前記対向側携帯電話端末の識別番号宛てに応答するステップ
を含む
携帯電話端末の状態通知方法。
【請求項２４】
請求項２２または請求項２３に記載の携帯電話端末の状態通知方法であって、
前記現在状態を表示するステップは、
前記状態通知応答を受信すると、前記状態通知応答に含まれた、前記位置情報を地図情報に対応させて表示するステップ
を含む
携帯電話端末の状態通知方法。
【請求項２５】
請求項１７から請求項２４までのいずれかに記載された携帯電話端末の状態通知方法をコンピュータによって実現するためのプログラム。
【発明の詳細な説明】
【技術分野】
【０００１】
本発明は、携帯電話システムに関する。
【背景技術】
【０００２】
従来の携帯電話システムにおいて、ユーザーは、発信をしなければ対向側の携帯電話端末の状態を検知することができない。例えば、対向側の携帯電話端末が通話中の場合、ユーザーは、実際に発信して携帯電話端末のスピーカーから出力される通話中トーンを聞くことによって、初めて対向側の携帯電話端末が通話中であることを知る。また、対向側が圏外の場合、ユーザーは、実際に発信して圏外トーキを聞くことで、初めて対向側が圏外にいることを知らされる。
【０００３】
加えて、ユーザーは、対向側が通話中や圏外の場合には、対向側が通話可能となったかどうかを、再度発信して確かめる必要がある。ところが、ユーザーが、実際に再度発信をしてみると、対向側の状態は変化しておらず、相変わらず通話中や圏外のままであったりする。このような場合、ユーザーは、実際に対向側と通話が可能になるまで何度も発信を繰り返す必要ある。
【０００４】
このように、従来の携帯電話システムにおいて、ユーザーは、対向側の携帯電話端末の状態を発信前に知ることができないために、余計な手間をかけなければならないという問題があった。このような問題を解決すべく、対向側の状態を検知するための発明がなされている。これらの発明は、回線システムに状態情報記録様のサーバー等を設置して、各携帯電話端末が当該サーバーへ状態情報を登録し、これを他の携帯電話端末が取得するというものである。
【０００５】
特許文献１の通信システムは、携帯電話同士の間で通話及び電子メールの少なくとも一方の通信を行おうとする場合に、従来よりも円滑なコミュニケーションが可能な通信システムを開示している。特許文献１の通信システムは、第１の携帯通信端末と、第２の携帯通信端末と、第１の携帯通信端末と第２の携帯通信端末それぞれの間で通信可能なサーバとを備える通信システムであって、第１の携帯通信端末は、予め設定された条件を満たす第１の携帯通信端末の動作状態を検出する検出部と、検出部により検出した動作状態を表す状態情報をサーバーに送信する送信部とを有し、サーバーは、第１の携帯通信端末から受信した状態情報を、第１の携帯通信端末に対応させて記憶する記憶部を有し、第２の携帯通信端末は、少なくとも、第１の形態通信端末に発呼する前、または、第１の携帯通信端末に電子メールを送信する前に、第１の携帯通信端末に対応する状態情報をサーバから受信する受信部を有する通信システムである。
【０００６】
【特許文献１】特開２００６−２９５４６７号公報
【発明の開示】
【発明が解決しようとする課題】
【０００７】
本発明の目的は、従来の回線システムを変更することなく、通信開始前に対向側の状態取得を可能にする携帯電話端末の状態通知システムを提供することである。
【課題を解決するための手段】
【０００８】
本発明の携帯電話端末の状態通知システムは、発信されるべき識別番号を検知して、状態通知要求を識別番号宛てに送信して、発信前に識別番号を有する端末の現在状態を取得する第１携帯電話端末と、現在状態を保持し、状態通知要求を受信すると保持されている状態を含む状態通知応答を第１携帯電話端末の識別番号宛てに応答する第２携帯電話端末と、第１携帯電話端末と第２携帯電話端末との間のデータ転送を行う回線システムとを備え、第１携帯電話端末は、状態通知応答を受信すると、状態通知応答に含まれた、第２携帯電話端末の現在状態を表示する。
【０００９】
本発明の携帯電話端末は、現在状態を保持し、現在状態の取得を要求して対向側携帯電話端末が送信した状態通知要求を受信すると、保持されている現在状態を含む状態通知応答を対向側携帯電話端末の識別番号宛てに応答する。
【００１０】
本発明の携帯電話端末の状態通知方法は、発信されるべき識別番号を検知して、状態通知要求を識別番号宛てに送信して、発信前に識別番号を有する携帯電話端末の現在状態を取得するステップと、現在状態を保持し、状態通知要求を受信すると保持されている現在状態を含む状態通知応答を、状態通知要求を送信した対向側携帯電話端末の識別番号宛てに応答するステップと、状態通知要求および状態通知応答のデータ転送を行うステップと、状態通知応答を受信すると、状態通知応答に含まれた、現在状態を表示するステップとを備える。
【００１１】
本発明のプログラムは、上述の携帯電話端末の状態通知方法をコンピュータによって実現する。
【発明の効果】
【００１２】
本発明によれば、従来の回線システムを変更することなく、通信開始前に対向側の状態取得を可能にする携帯電話端末の状態通知システムが提供できる。
【発明を実施するための最良の形態】
【００１３】
添付図面を参照して、本発明の実施例による携帯電話端末の状態通知システムを、以下に説明する。
【００１４】
［構成の説明］
まず、図１を用いて、本実施例における携帯電話端末の状態通知システムの構成の説明を行う。本実施例における携帯電話端末の状態通知システムは、携帯電話端末１００と、回線システム２００と、携帯電話端末３００とを備える。
【００１５】
携帯電話端末１００及び携帯電話端末３００は、同様の構成をしている。本実施例において、携帯電話端末１００は発信側、携帯電話端末３００は着信側として説明を行う。携帯電話端末１００及び携帯電話端末３００は、回線システム２００へ無線通信により接続し、相互間、あるいは他ネットワークに存在する通信端末等と、音声通信やデータ通信を行うことが可能である。
【００１６】
回線システム２００は、携帯電話の通信ネットワークである。回線システム２００は、携帯電話端末１００及び携帯電話端末３００と無線通信を行うための無線基地局を有する。また、回線システム２００は、無線基地局に接続されている光ファイバー等の伝送路を集約するセンターを複数個所備えている。さらに、回線システム２００は、複数箇所のセンタに、携帯電話端末間、あるいは携帯電話端末１００から他のネットワークへの、音声通信やデータ通信を実現するための交換装置や、伝送装置やサーバーを備えている。これらによって、回線システム２００は、携帯電話端末１００及び携帯電話端末３００に、従来の携帯電話サービスを提供可能としている。本実施例において、回線システム２００は、従来の携帯電話の回線システムであって、その構成及び機能は公知であるので説明を省略する。
【００１７】
（携帯電話端末の構成の説明）
次に、図２を用いて、本実施例における携帯電話端末１００及び携帯電話端末３００の構成を説明する。図２は、携帯電話端末１００及び携帯電話端末３００の機能ブロックを示している。前述のとおり携帯電話端末１００と携帯電話端末３００の構成は同様であるので、携帯電話端末１００の説明のみを行い、携帯電話端末３００の説明は省略する。本実施例の携帯電話端末１００及び携帯電話端末３００（以下、特に明示が無い限り、携帯電話端末１００と省略する。）は、音声入出力部１０と、表示部２０と、入力部３０と、無線部４０と、記憶部５０と、制御部６０を備える。
【００１８】
音声入出力部１０は、マイクやスピーカ等を備える。音声入出力部１０は、携帯電話端末１００のユーザーからの音声を入力して制御部６０へ出力する。また、音声入出力部１０は、制御部６０から入力する携帯電話端末１００が通信の対向側から受信する音声を出力する。
【００１９】
表示部２０は、ＬＣＤ（Ｌｉｑｕｉｄ  Ｃｒｙｓｔａｌ  Ｄｉｓｐｌａｙ）等を備える。表示部２０は、制御部６０から出力される情報を表示する。
【００２０】
入力部３０は、入力用のキー等を備える。入力部３０は、ユーザーからのキー入力を受け付け、制御部６０へ出力する。
【００２１】
無線部４０は、無線通信用のアンテナを備え、回線システム２００の基地局と無線通信を行う。無線部４０は、制御部６０からの信号により搬送波を変調してアンテナから無線信号を基地局へ送信する。また無線部４０は、基地局からの無線信号を受信して、復調等の処理を行い、受信信号を制御部６０へ出力する。
【００２２】
記憶部５０は、ＲＯＭ（Ｒｅａｄ  Ｏｎｌｙ  Ｍｅｍｏｒｙ）やＲＡＭ（Ｒｏｎｄｏｍ  Ａｃｃｅｓｓ  Ｍｅｍｏｒｙ）等で構成される。記憶部５０、制御部６０が、携帯電話端末１００の機能を実現するために必要な処理用プログラムを保存する。また、記憶部５０は、携帯電話端末１００が提供する機能に必要なデータを記憶している。
【００２３】
記憶部５０は、電話番号記憶部５１と、状態記憶部５２と、許可リスト５３をさらに備える。
【００２４】
電話番号記憶部５１は、携帯電話端末１００が提供する、電話帳機能や、発着信番号履歴保存機能における電話番号データを保存している。電話帳機能は、対向側携帯電話番号をその所有者名やメールアドレス等と共に保存しておく機能である。また、発着信番号履歴保存機能は、携帯電話端末１００から発信した、あるいは携帯電話端末１００に着信した、対向側携帯電話番号を保存しておく機能である。電話帳機能、発着信番号履歴保存機能は、公知の機能であるので詳細な説明は省略する。
【００２５】
状態記憶部５２は、携帯電話端末１００の現在の状態情報を記憶している。状態記憶部５２が記憶する状態は、通話可能、通信中、運転中（ドライブモード）、通話不可等である。状態記憶部５２が記憶する状態は、これら以外であってもよく、これらに限定しない。状態記憶部５２は、制御部６０によって現在の状態を記録される。制御部６０は、携帯電話端末１００の状態が変化するに度に、現在の状態情報を状態記憶部５２へ記録する。また、状態記憶部５２は、応答部６４の状態問合せに応答して、現在記録している状態情報を応答する。なお、状態記憶部５２は、記憶部５０に存在するが、同様の機能を果たせば、制御部６０に存在してもかまわない。さらに、状態記憶部５２が、制御部６０から携帯電話端末１００の状態を取得する構成でもかまわない。
【００２６】
許可リスト５３は、携帯電話端末１００の状態を問い合わせてきた対向側携帯電話端末に対して、状態情報の応答を返してよい番号を保存している。携帯電話端末１００のユーザーは、予め許可リスト５３へ、状態問合せに応答してよい電話番号を登録しておく。電話番号の登録は、ユーザーによって個別に電話番号を登録される方法でもよい。また、許可リスト５３が、電話番号記憶部５１に保存されている電話番号を参照することによって許可する電話番号を登録する登録方法でもよい。また、全ての電話番号対して状態の応答を許可する、あるいは全ての電話番号に対して状態の応答を拒否するといった登録方法でもよい。つまり、許可リスト５３に登録されている電話番号の対向側携帯電話端末は、状態情報を応答することが許可される。一方、許可リスト５３に登録されていない電話番号の対向側携帯電話端末は、状態情報を応答することが拒否される。
【００２７】
制御部６０は、ＣＰＵ（Ｃｅｎｔｒａｌ  Ｐｒｏｃｅｓｓｉｎｇ  Ｕｎｉｔ）等を備える。制御部６０は、記憶部５０に記憶されている処理用プログラムを読み出して実行することによって、携帯電話端末１００が提供する機能を実現する。
【００２８】
制御部６０は、さらに通信処理部６１と、情報取得部６２と、ＳＭＳ（Ｓｈｏｒｔ  Ｍｅｓｓａｇｅ  Ｓｅｒｖｉｃｅ：ショートメッセージサービス）送受信部６３と、応答部６４とを備える。
【００２９】
通信処理部６１は、携帯電話端末１００の音声通信、データ通信を制御する。通信処理部６１は、回線システム２００内に存在するサーバー等と通信を行うことで、通信の対向側端末との通信を確立する。通信処理部６１は、音声入出力部１０から入力された音声データを送信信号化して、無線部４０へ出力する。通信処理部６１は、無線部４０から入力した受信信号の受信処理を行い、表示部２０や音声入出力部１０へ出力する。また、通信処理部６１は、ＳＭＳ送受信部６３が出力するＳＭＳデータを送信信号として無線部４０へ出力する。通信処理部６１は、無線部４０から入力した受信信号のＳＭＳデータをＳＭＳ送受信部６３へ出力する。通信処理部６１の処理によって、対向側携帯電話端末との音声通信、データ通信が実現される。
【００３０】
情報取得部６２は、通信の対向側携帯電話端末の状態を取得する。情報取得部６２は、ユーザーが発信しようとする電話番号を検知し、当該電話番号を有する対向側携帯電話端末の状態を取得する。情報取得部６２は、対向側携帯電話端末の状態情報を表示部２０や音声入出力部１０へ出力する。
状態取得部６２は、制御部６０の動作を監視している。例えば、ユーザーが、電話をかけようとして、電話番号記憶部５１に保存されている電話帳の電話番号を選択するために、入力部３０へキー入力を行う。制御部６０は、入力部３０からのキー入力を検知して、記憶部５０の電話番号記憶部５１に保存されている電話帳データを表示部２０へ出力する。情報取得部６１は、制御部６０が電話番号記憶部５１から取得した電話番号を制御部６０から取得する。情報取得部６２は、当該電話番号を有する対向側携帯電話端末の状態を取得するため、ＳＭＳ送受信部６３へ、当該電話番号と共に状態取得命令を出力する。
情報取得部６２は、状態取得命令に対する、対向側携帯電話端末からの応答を入力する。対向側携帯電話端末からの応答には、対向側携帯電話端末の現在の状態情報や、あるいは、状態情報の通知拒否といった内容が含まれている。状態取得部６２は、取得した対向側携帯電話端末の状態情報を表示部２０へ出力する。これにより、ユーザーは、対抗側携帯電話端末の状態情報を検知することができる。
【００３１】
なお、情報取得部６２が、情報取得命令を出力するトリガとなる動作は、ユーザーが電話帳から電話番号を選択する場合のほかに、発着信番号履歴から電話番号を選択した場合をトリガとしてもよい。
また、ユーザーの対向側携帯電話端末の状態情報を取得するための明示の入力をトリガとして、情報取得部６２が、状態取得命令を出力してもよい。例えば、ユーザーが、入力部３０に設けた対向側携帯電話番号端末の状態取得命令用のボタン（図示せず）を、押下することをトリガとしてもよい。あるいは、ユーザーが、表示部２０に表示した状態取得命令用の選択画面を、選択することをトリガとしてもよい。
このように、ユーザの明示の入力に基づいて情報取得命令を出力する場合を設けることにより、ユーザーが確実に対向側携帯電話端末の状態情報を取得したい場合に対応することができる。例えば、自動的に情報取得命令を出力する場合では、対向側携帯電話端末からの応答に時間を要する場合（例えば、国際ローミングの場合等）に、あらかじめタイムアウトを設けて処理を途中で打ち切る方法が考えられるが、ユーザーの明示の入力に基づく場合には、タイムアウトを超過しても待機するようにすることができる。
情情報取得部６２が、報取得命令を出力するトリガについては、他の方法によって行うことも可能であり、これらに限定しない。
いずれの場合にしても、ユーザーが選択した電話番号宛てに状態取得命令を出力する。これによって、ユーザーが発信ボタンを押して、選択した電話番号へ実際に発信する前に、対向側携帯電話端末の状態を取得することが可能となる。
【００３２】
ＳＭＳ送受信部６３は、ショートメッセージの送受信処理を行う。ＳＭＳ送受信部６３は、状態取得部６２の状態取得命令に基づいて、対向側携帯電話端末の状態を取得するための状態通知要求を含めたショートメッセージを作成して、通信処理部６１へ出力する。ＳＭＳ送受信部６３は、通信処理部６１が出力する、対向側携帯電話端末からの状態通知要求に対する応答である状態通知応答を含むショートメッセージを入力すると、情報取得部６２へショートメッセージに含まれる状態通知応答と状態情報等の応答内容を出力する。また、ＳＭＳ送受信部６３は、通信処理部６１が出力する対向側携帯電話端末からの状態通知要求を含むショートメッセージを入力すると、応答部６４へ状態通知要求と要求内容を出力する。ＳＭＳ送受信部６３は、応答部６４から状態応答命令（あるいは通知拒否命令）を入力すると、状態通知応答（あるいは通知拒否応答）と状態情報等の応答内容を記録したショートメッセージを作成して、通信処理部６１へ送信する。
【００３３】
応答部６４は、対向側携帯電話端末からの状態通知要求に応じて、対向側携帯電話の電話番号を許可リスト５３に問い合わせる。応答部６４は、許可リスト５３に当該電話番号が登録されている場合には、当該電話番号の対向側携帯電話端末へ、状態情報の応答が許可されると判定する。この場合、応答部６４は、状態記憶部５２から現在の携帯電話端末１００の状態を取得する。応答部６４は、現在の携帯電話端末１００の状態情報を、当該電話番号の対向側携帯電話端末へ応答するように、状態応答命令をＳＭＳ送受信部６３へ出力する。一方、応答部６４は、許可リスト５３に当該電話番号が登録されていない場合には、当該電話番号の対向側携帯電話番号へは、状態情報の応答が拒否されていると判定する。応答部６４は、当該電話番号の対向側携帯電話端末へ通知拒否応答返すように、通知拒否命令を出力する。
【００３４】
以上が、携帯電話端末１００および携帯電話端末３００の構成の説明である。
【００３５】
以上が本実施例における構成の説明である。このように構成を行うことで、状態通知要求を受信した携帯電話端末１００では、許可リスト５３を参照することによって、状態情報の応答が許可されているかを判定し、応答が許可された場合には、状態記憶部５２に予め記憶している状態情報をショートメッセージによって応答することができる。そのため、既存の回線システムを変更すること無しに、携帯電話端末の機能によって、対向側携帯電話端末の状態を取得することが可能となる。
【００３６】
［動作方法の説明］
次に、本実施例のおける動作方法の説明を行う。なお、以下の説明において、携帯電話端末１００と携帯電話端末３００を区別するために、携帯電話端末１００の構成部位の符号には、末尾に「Ａ」を付与（例えば、表示部２０Ａ）し、携帯電話端末３００の構成部位の符号には、末尾に「Ｂ」を付与（例えば、表示部２０Ｂ）する。また、携帯電話端末１００の電話番号を「電話番号Ａ」とし、携帯電話端末３００の電話番号を「電話番号Ｂ」として説明を行う。さらに、携帯電話端末１００が送信するショートメッセージをショートメッセージＡとし、携帯電話端末３００が送信するショートメメッセージをショートメッセージＢとして説明を行う。
【００３７】
（通信可能状態の動作方法）
まず、図３を用いて、携帯電話端末１００から携帯電話端末３００へ状態取得を行った場合で、携帯電話端末３００の許可リスト５３Ｂに電話番号Ａが登録されており、携帯電話端末３００の状態が通信可能状態である場合の動作方法を説明する。
【００３８】
（ステップＳ１）
ユーザーが、電話帳または発着信番号履歴から、通話を行うための電話番号を選択するために、携帯電話端末１００の入力部３０Ａへキー入力を行う。制御部６０Ａは、入力部３０Ａへの入力を検知し、電話番号記憶部５１Ａの電話番号データを表示部２０Ａへ出力する。ユーザーは、表示部２０Ａに表示された電話番号から、通話を行おうとする電話番号を選択する。なお、この選択は、例えば、入力部３０Ａに確定ボタン（図示せず）を設け、ユーザーが電話番号を指定して、これを押下することによって選択する方法としてもよい。また、ユーザーが、表示部２０Ａに表示されている複数の電話番号を、入力部３０Ａへの入力によって反転表示させて選択する方法としてもよい。本説明において、ユーザーは、携帯電話端末３００の電話番号Ｂを選択したものとして説明を行う。
【００３９】
（ステップＳ２）
携帯電話端末１００の情報取得部６２Ａは、制御部６０Ａからユーザーが選択した電話番号を取得する。情報取得部６２Ａは、電話番号Ｂと共に情報取得命令を、ＳＭＳ送受信部６３Ａへ出力する。ＳＭＳ送受信部６３Ａは、情報取得部６２Ａから情報取得命令を入力する。ＳＭＳ送受信部６３Ａは、電話番号Ｂ宛てに情報通知要求と携帯情報端末１００の電話番号Ａを記録したショートメッセージＡを作成する。ＳＭＳ送受信部６３Ａは、作成したショートメッセージＡを通信処理部６１Ａへ出力する。
【００４０】
（ステップＳ３）
通信処理部６１Ａは、ＳＭＳ送受信部６３Ａが出力したショートメッセージＡを入力する。通信処理部６１Ａは、ショートメッセージＡを、無線部４０Ａを介して、電話番号Ｂ宛てに送信する。
【００４１】
（ステップＳ４）
回線システム２００は、携帯電話端末１００から電話番号Ｂ宛てのショートメッセージＡを受信する。回線システム２００は、他ショートメッセージと同様の処理で、当該ショートメッセージＡを電話番号Ｂ宛てに転送する。
【００４２】
（ステップＳ５）
携帯電話端末３００は、回線システム２００から、自電話番号である電話番号Ｂ宛てのショートメッセージＡを受信する。携帯電話端末３００の通信処理部６１Ｂは、電話番号Ｂ宛ての情報通知要求と電話番号Ａが記録されたショートメッセージＡを、無線部４０Ｂを介して受信する。通信処理部６１Ｂは、受信したショートメッセージＡをＳＭＳ送受信部６３Ｂへ出力する。ＳＭＳ送受信部６３Ｂは、通信処理部６１ＢからショートメッセージＡを入力する。ＳＭＳ送受信部６３Ｂは、ショートメッセージＡに記録された、情報通知要求を参照することで、当該ショートメッセージＡが他携帯電話端末からの情報通知要求であることを検知する。ＳＭＳ送受信部６３Ｂは、ショートメッセージＡに記録された、情報通知要求と電話番号Ａを応答部６４Ｂへ出力する。
【００４３】
（ステップＳ６）
応答部６４Ｂは、ＳＭＳ送受信部６３Ｂから、情報通知要求と電話番号Ａを入力する。応答部６４Ｂは、電話番号Ａからの情報通知要求を検知する。応答部６４Ｂは、記憶部５０Ｂの許可リスト５３Ｂに、電話番号Ａが登録されているかを問い合わせる。許可リスト５３Ｂは、応答部６４Ｂからの問合せに応じて、電話番号Ａが許可リスト５３Ｂへ登録されているかを検索する。本説明において、許可リスト５３Ｂに電話番号Ａは登録されている。許可リスト５３Ｂは、電話番号Ａを検出する。許可リスト５３Ｂは、応答部６４Ｂへ電話番号Ａが登録されていることを通知する。応答部６４Ｂは、許可リスト５３Ｂに電話番号Ｂが登録されていることを検知し、電話番号Ａの携帯電話端末１００へ状態通知応答を送信可能と判定する。
【００４４】
（ステップＳ７）
応答部６４Ｂは、記憶部５０Ｂの状態記憶部５２Ｂへ、携帯電話端末３００の状態を問い合わせる。状態記憶部５２Ｂは、応答部６４Ｂからの状態問合せに応じて、記憶している状態を応答する。本説明において、状態記憶部５２Ｂは記憶している状態は「通話可能」である。応答部６４Ｂは、状態記憶部５２Ｂから状態「通話可能」を取得する。応答部６４Ｂは、ＳＭＳ送受信部６３Ｂへ、電話番号Ａ宛てに「通話可能」の状態通知応答を応答するように、状態応答命令を出力する。
【００４５】
（ステップＳ８）
ＳＭＳ送受信部６３Ｂは、応答部６４Ｂから、状態応答命令を入力する。ＳＭＳ送受信部６３Ｂは、電話番号Ａ宛てに状態通知応答と携帯電話端末３００の状態通知「通話可能」を記録したショートメッセージＢを作成する。ＳＭＳ送受信部６３Ｂは、作成したショートメッセージＢを、通信処理部６１Ｂへ出力する。
【００４６】
（ステップＳ９）
通信処理部６１Ｂは、ＳＭＳ送受信部６３Ｂから、電話番号Ａ宛てに状態通知応答と携帯電話端末３００の状態通知「通話可能」を記録したショートメッセージＢを入力する。通信処理部６１Ｂは、ショートメッセージＢを、無線部４０Ｂを介して、電話番号Ａ宛てに送信する。
【００４７】
（ステップＳ１０）
回線システム２００は、携帯電話端末３００から電話番号Ａ宛てのショートメッセージＢを受信する。回線システム２００は、他ショートメッセージと同様の処理で、当該ショートメッセージＢを電話番号Ａ宛てに転送する。
【００４８】
（ステップＳ１１）
携帯電話端末１００は、回線システム２００から、自電話番号である電話番号Ａ宛てのショートメッセージＢを受信する。携帯電話端末１００の通信処理部６１Ａは、電話番号Ａ宛ての状態通知応答と携帯電話端末３００の状態通知「通話可能」を記録したショートメッセージＢを、無線部４０Ａを介して受信する。通信処理部６１Ａは、受信したショートメッセージＢをＳＭＳ送受信部６３Ａへ出力する。ＳＭＳ送受信部６３Ａは、通信処理部６１ＡからショートメッセージＢを入力する。ＳＭＳ送受信部６３Ａは、ショートメッセージＢに記録された、状態通知応答を参照することで、当該ショートメッセージＢが他携帯電話端末からの状態通知応答であることを検知する。ＳＭＳ送受信部６３Ａは、ショートメッセージＢに記録された、状態通知応答と携帯電話端末３００の状態通知「通話可能」を情報取得部６２Ａへ出力する。情報取得部６２Ａは、ＳＭＳ送受信部６３Ａから状態通知応答と携帯電話端末３００の状態通知「通話可能」を入力する。情報取得部６２Ａは、携帯電話番号Ｂの状態通知「通話可能」を表示部２０Ａへ出力する。
【００４９】
以上が、携帯電話端末１００から携帯電話端末３００へ状態取得を行った場合で、携帯電話端末３００の許可リスト５３Ｂに電話番号Ａが登録されており、携帯電話端末３００の状態が通信可能状態である場合の動作方法の説明である。
携帯電話端末３００の応答部６４Ｂが受信したショートメッセージＡの状態通知要求を検知して、許可リスト５３Ｂを参照し、状態記憶部５２Ｂから状態を取得して状態通知応答を携帯電話端末１００に送信する。このようにすることで、従来の携帯電話システムの回線システムに手を加えることなく、携帯電話端末１００は、携帯電話端末３００が「通話可能」状態にあることを取得可能となり、ユーザーへ通知可能となる。
【００５０】
（状態通知拒否状態の動作方法）
次に、図４を用いて、携帯電話端末１００から携帯電話端末３００へ状態取得を行った場合で、携帯電話端末３００の許可リスト５３Ｂに電話番号Ａが登録されていない場合（状態通知拒否）の動作説明を行う。
【００５１】
（ステップＳ２０〜ステップＳ２４）
ステップＳ２０からステップＳ２４までは、前述のステップＳ１からステップＳ５までと同様の動作方法であるので説明を省略する。
【００５２】
（ステップＳ２５）
応答部６４Ｂは、ＳＭＳ送受信部６３Ｂから、情報通知要求と電話番号Ａを入力する。応答部６４Ｂは、電話番号Ａからの情報通知要求を検知する。応答部６４Ｂは、記憶部５０Ｂの許可リスト５３Ｂに、電話番号Ａが登録されているかを問い合わせる。許可リスト５３Ｂは、応答部６４Ｂからの問合せに応じて、電話番号Ａが許可リスト５３Ｂへ登録されているかを検索する。本説明において、許可リスト５３Ｂに電話番号Ａは登録されていない。そのため、許可リスト５３Ｂは、電話番号Ａを検出することができない。許可リスト５３Ｂは、応答部６４Ｂへ電話番号Ａが登録されていないことを通知する。応答部６４Ｂは、許可リスト５３Ｂに電話番号Ｂが登録されていないことを検知し、電話番号Ａの携帯電話端末１００への状態通知応答は拒否されていると判定する。応答部６４Ｂは、ＳＭＳ送受信部６３Ｂへ、電話番号Ａ宛てに「通知拒否」を応答するように、通知拒否命令を出力する。
【００５３】
（ステップＳ２６）
ＳＭＳ送受信部６３Ｂは、応答部６４Ｂから、通知拒否命令を入力する。ＳＭＳ送受信部６３Ｂは、電話番号Ａ宛てに通知拒否応答を記録したショートメッセージＢを作成する。ＳＭＳ送受信部６３Ｂは、作成したショートメッセージＢを、通信処理部６１Ｂへ出力する。
【００５４】
（ステップＳ２７）
通信処理部６１Ｂは、ＳＭＳ送受信部６３Ｂから、電話番号Ａ宛てに通知拒否応答を記録したショートメッセージＢを入力する。通信処理部６１Ｂは、ショートメッセージＢを、無線部４０Ｂを介して、電話番号Ａ宛てに送信する。
【００５５】
（ステップＳ２８）
回線システム２００は、携帯電話端末３００から電話番号Ａ宛てのショートメッセージＢを受信する。回線システム２００は、他ショートメッセージと同様の処理で、当該ショートメッセージＢを電話番号Ａ宛てに転送する。
【００５６】
（ステップＳ２９）
携帯電話端末１００は、回線システム２００から、自電話番号である電話番号Ａ宛てのショートメッセージＢを受信する。携帯電話端末１００の通信処理部６１Ａは、電話番号Ａ宛ての通知拒否応答を記録したショートメッセージＢを、無線部４０Ａを介して受信する。通信処理部６１Ａは、受信したショートメッセージＢをＳＭＳ送受信部６３Ａへ出力する。ＳＭＳ送受信部６３Ａは、通信処理部６１ＡからショートメッセージＢを入力する。ＳＭＳ送受信部６３Ａは、ショートメッセージＢに記録された、通知拒否応答を参照することで、当該ショートメッセージＢが他携帯電話端末からの通知拒否応答であることを検知する。ＳＭＳ送受信部６３Ａは、ショートメッセージＢに記録された、通知拒否応答を情報取得部６２Ａへ出力する。情報取得部６２Ａは、ＳＭＳ送受信部６３Ａから通知拒否応答を入力する。情報取得部６２Ａは、携帯電話番号Ｂの「状態通知拒否」を表示部２０Ａへ出力する。
【００５７】
以上が、携帯電話端末１００から携帯電話端末３００へ状態取得を行った場合で、携帯電話端末３００の許可リスト５３Ｂに電話番号Ａが登録されていない場合（状態通知拒否）のの動作方法の説明である。
携帯電話端末３００の応答部６４Ｂは、受信したショートメッセージの状態通知要求を検知して、許可リスト５３Ｂへ問合を行う。許可リスト５３Ｂは、携帯電話番号Ａの登録が無いこと応答部６４Ｂへ通知する。応答部６４Ｂは、ＳＭＳ送受信部６３Ｂへ通知拒否命令を出力する。ＳＭＳ送受信部６３Ｂは、通知拒否応答を記録したショートメッセージＢ作成する。通信処理部６１Ｂは、ショートメッセージＢを携帯電話端末１００に送信する。このようにすることで、従来の携帯電話システムの回線システムに手を加えることなく、携帯電話端末３００は、携帯電話端末１００からの状態通知要求に対して、通知拒否状態にあることを、携帯電話端末１００へ通知できる。
【００５８】
（通話不可状態の動作方法）
次に、図５を用いて、携帯電話端末１００から携帯電話端末３００へ状態取得を行った場合で、携帯電話端末３００の許可リスト５３Ｂに電話番号Ａが登録されているが、携帯電話端末３００の状態が通話不可、運転中、通話中ある場合、つまり携帯電話端末３００のユーザーが着信に応答（通話）できない場合、の動作方法を説明する。
【００５９】
（ステップＳ３０〜ステップＳ３５）
ステップＳ３０〜ステップＳ３５までは、前述のステップＳ１からステップＳ６までと同様の動作方法であるので説明を省略する。
【００６０】
（ステップＳ３６）
応答部６４Ｂは、記憶部５０Ｂの状態記憶部５２Ｂへ、携帯電話端末３００の状態を問い合わせる。状態記憶部５２Ｂは、応答部６４Ｂからの状態問合せに応じて、記憶している状態を応答する。本説明において、状態記憶部５２Ｂは記憶している状態は「通話不可」、「通話中」、「運転中」（以下、「通話不可」に省略して説明する。）のいずれかでである。これらの状態は、いずれにしても携帯電話端末３００のユーザーが、現時点で着信しても応答（通話）できないことを意味している。応答部６４Ｂは、状態記憶部５２Ｂから状態「通話不可」を取得する。応答部６４Ｂは、ＳＭＳ送受信部６３Ｂへ、電話番号Ａ宛てに「通話不可」の状態通知応答を応答するように、状態応答命令を出力する。
【００６１】
（ステップＳ３７）
ＳＭＳ送受信部６３Ｂは、応答部６４Ｂから、状態応答命令を入力する。ＳＭＳ送受信部６３Ｂは、電話番号Ａ宛てに状態通知応答と携帯電話端末３００の状態通知「通話不可」を記録したショートメッセージＢを作成する。ＳＭＳ送受信部６３Ｂは、作成したショートメッセージＢを、通信処理部６１Ｂへ出力する。
【００６２】
（ステップＳ３８）
通信処理部６１Ｂは、ＳＭＳ送受信部６３Ｂから、電話番号Ａ宛てに状態通知応答と携帯電話端末３００の状態通知「通話不可」を記録したショートメッセージＢを入力する。通信処理部６１Ｂは、ショートメッセージＢを、無線部４０Ｂを介して、電話番号Ａ宛てに送信する。
【００６３】
（ステップＳ３９）
回線システム２００は、携帯電話端末３００から電話番号Ａ宛てのショートメッセージＢを受信する。回線システム２００は、他ショートメッセージと同様の処理で、当該ショートメッセージＢを電話番号Ａ宛てに転送する。
【００６４】
（ステップＳ４０）
携帯電話端末１００は、回線システム２００から、自電話番号である電話番号Ａ宛てのショートメッセージＢを受信する。携帯電話端末１００の通信処理部６１Ａは、電話番号Ａ宛ての状態通知応答と携帯電話端末３００の状態通知「通話不可」を記録したショートメッセージＢを、無線部４０Ａを介して受信する。通信処理部６１Ａは、受信したショートメッセージＢをＳＭＳ送受信部６３Ａへ出力する。ＳＭＳ送受信部６３Ａは、通信処理部６１ＡからショートメッセージＢを入力する。ＳＭＳ送受信部６３Ａは、ショートメッセージＢに記録された、状態通知応答を参照することで、当該ショートメッセージＢが他携帯電話端末からの状態通知応答であることを検知する。ＳＭＳ送受信部６３Ａは、ショートメッセージＢに記録された、状態通知応答と携帯電話端末３００の状態通知「通話不可」を情報取得部６２Ａへ出力する。情報取得部６２Ａは、ＳＭＳ送受信部６３Ａから状態通知応答と携帯電話端末３００の状態通知「通話不可」を入力する。情報取得部６２Ａは、携帯電話番号３００の状態通知「通話不可」を表示部２０Ａへ出力する。
【００６５】
（ステップＳ４１）
情報取得部６２Ａは、表示部２０Ａへ「状態変化通知の要否」を出力する。これは、現在、携帯電話端３００は「通話不可」状態であるが、この後携帯電話端末３００が「通話可能」と状態が変化した場合に、通知を受けるか否かを、ユーザーに選択させることを意味している。状態変化通知の要否は、例えば、表示部２０ＡのＬＣＤへ「携帯電話端末３００の状態が通話可能となった場合に通知を受けますか。」といったように表示を出力しする。ユーザーは、この質問について「はい」か「いいえ」を選択して入力するような形式でもよい。あるいは、事前に状態変化通知の要否を登録しておき、それの状態状態取得部６２Ａが記憶しておくような動作方法も可能である。この場合は、ユーザー選択する必要はなく、自動的に次の動作へ進むことになる。どのような動作方法をとるにしても、ユーザーが「状態変化通知の要否」を「いいえ」と選択した場合、つまり、状態変化通知は受けないと選択した場合には、本ステップで動作完了となる。
一方、ユーザーが「状態変化通知の要否」を「はい」と選択した場合、つまり、状態変化つうちを受けると選択した場合は、以下の動作へと進む。
この場合、情報取得部６２Ａは、ＳＭＳ送受信部６３Ａへ状態変化通知取得命令を出力する。ＳＭＳ送受信部６３Ａは、情報取得部６２Ａから状態変化通知取得命令を入力する。ＳＭＳ送受信部６３Ａは、電話番号Ｂ宛てに状態変化通知要求と携帯情報端末１００の電話番号Ａを記録したショートメッセージＡを作成する。ＳＭＳ送受信部６３Ａは、作成したショートメッセージＡを通信処理部６１Ａへ出力する。
【００６６】
（ステップＳ４２）
通信処理部６１Ａは、ＳＭＳ送受信部６３Ａが出力したショートメッセージＡを入力する。通信処理部６１Ａは、ショートメッセージＡを、無線部４０Ａを介して、電話番号Ｂ宛てに送信する。
【００６７】
（ステップＳ４３）
回線システム２００は、携帯電話端末１００から電話番号Ｂ宛てのショートメッセージＡを受信する。回線システム２００は、他ショートメッセージと同様の処理で、当該ショートメッセージＡを電話番号Ｂ宛てに転送する。
【００６８】
（ステップＳ４４）
携帯電話端末３００は、回線システム２００から、自電話番号である電話番号Ｂ宛てのショートメッセージＡを受信する。携帯電話端末３００の通信処理部６１Ｂは、電話番号Ｂ宛ての状態変化通知要求と電話番号Ａが記録されたショートメッセージＡを、無線部４０Ｂを介して受信する。通信処理部６１Ｂは、受信したショートメッセージＡをＳＭＳ送受信部６３Ｂへ出力する。ＳＭＳ送受信部６３Ｂは、通信処理部６１ＢからショートメッセージＡを入力する。ＳＭＳ送受信部６３Ｂは、ショートメッセージＡに記録された、状態変化通知要求を参照することで、当該ショートメッセージＡが他携帯電話端末からの状態変化通知要求であることを検知する。ＳＭＳ送受信部６３Ｂは、ショートメッセージＡに記録された、状態変化通知要求と電話番号Ａを応答部６４Ｂへ出力する。応答部６４Ｂは、ＳＭＳ送受信部６３Ｂから、状態変化通知要求と電話番号Ａを入力する。応答部６４Ｂは、電話番号Ａからの状態変化通知要求を検知する。応答部６４Ｂは、記憶部５０Ｂの許可リスト５３Ｂに、電話番号Ａが登録されているかを問い合わせる。許可リスト５３Ｂは、応答部６４Ｂからの問合せに応じて、電話番号Ａが許可リスト５３Ｂへ登録されているかを検索する。本説明において、許可リスト５３Ｂに電話番号Ａは登録されている。許可リスト５３Ｂは、電話番号Ａを検出する。許可リスト５３Ｂは、応答部６４Ｂへ電話番号Ａが登録されていることを通知する。応答部６４Ｂは、許可リスト５３Ｂに電話番号Ｂが登録されていることを検知し、電話番号Ａの携帯電話端末１００へ状態変化通知応答を送信可能と判定する。応答部６４Ｂは、電話番号Ａへ状態変化通知応答を送信可能と判定すると、電話番号Ａからの状態変化通知要求を記憶する。
この後、応答部６４Ｂは、記憶部５０Ｂの状態記憶部５２Ｂへ、定期的に携帯電話端末３００の状態を問い合わせる。この問合せは、時間的に定期的でもよいし、制御部６０Ｂが、状態記憶部５２へ状態記憶を更新する度に問い合わせてもよい。
【００６９】
（ステップＳ４５）
携帯電話端末３００の状態が「通話不可」から「通話可能」に変化する。
【００７０】
（ステップＳ４６）
状態記憶部５２Ｂは、応答部６４Ｂからの状態問合せに応じて、記憶している状態を応答する。状態記憶部５２Ｂ、記憶している状態「通話可能」を応答する。応答部６４Ｂは、状態記憶部５２Ｂから状態「通話可能」を取得する。応答部６４Ｂは、状態記憶部５２Ｂの状態が変化したことを検知する。応答部６４Ｂは、ＳＭＳ送受信部６３Ｂへ、電話番号Ａ宛てに「通話可能」の状態変化応答を応答するように、状態変化通知応答命令を出力する。ＳＭＳ送受信部６３Ｂは、応答部６４Ｂから、状態変化通知応答命令を入力する。ＳＭＳ送受信部６３Ｂは、電話番号Ａ宛てに状態変化通知応答と携帯電話端末３００の状態通知「通話可能」を記録したショートメッセージＢを作成する。ＳＭＳ送受信部６３Ｂは、作成したショートメッセージＢを、通信処理部６１Ｂへ出力する。
【００７１】
（ステップＳ４７）
通信処理部６１Ｂは、ＳＭＳ送受信部６３Ｂから、電話番号Ａ宛てに状態変化通知応答と携帯電話端末３００の状態通知「通話可能」を記録したショートメッセージＢを入力する。通信処理部６１Ｂは、ショートメッセージＢを、無線部４０Ｂを介して、電話番号Ａ宛てに送信する。
【００７２】
（ステップＳ４８）
回線システム２００は、携帯電話端末３００から電話番号Ａ宛てのショートメッセージＢを受信する。回線システム２００は、他ショートメッセージと同様の処理で、当該ショートメッセージＢを電話番号Ａ宛てに転送する。
【００７３】
（ステップＳ４９）
携帯電話端末１００は、回線システム２００から、自電話番号である電話番号Ａ宛てのショートメッセージＢを受信する。携帯電話端末１００の通信処理部６１Ａは、電話番号Ａ宛ての状態変化通知応答と携帯電話端末３００の状態通知「通話可能」を記録したショートメッセージＢを、無線部４０Ａを介して受信する。通信処理部６１Ａは、受信したショートメッセージＢをＳＭＳ送受信部６３Ａへ出力する。ＳＭＳ送受信部６３Ａは、通信処理部６１ＡからショートメッセージＢを入力する。ＳＭＳ送受信部６３Ａは、ショートメッセージＢに記録された、状態変化通知応答を参照することで、当該ショートメッセージＢが他携帯電話端末からの状態変化通知応答であることを検知する。ＳＭＳ送受信部６３Ａは、ショートメッセージＢに記録された、状態変化通知応答と携帯電話端末３００の状態通知「通話可能」を情報取得部６２Ａへ出力する。情報取得部６２Ａは、ＳＭＳ送受信部６３Ａから状態変化通知応答と携帯電話端末３００の状態通知「通話可能」を入力する。情報取得部６２Ａは、携帯電話番号Ｂの状態通知「通話可能」を表示部２０Ａへ出力する。
【００７４】
以上が、携帯電話端末１００から携帯電話端末３００へ状態取得を行った場合で、携帯電話端末３００の許可リスト５３Ｂに電話番号Ａが登録されているが、携帯電話端末３００の状態が通話不可、運転中、通話中ある場合、つまり携帯電話端末３００のユーザーが着信に応答（通話）できない場合、の動作方法を説明である。
携帯電話端末３００の状態が「通話不可」である場合には、応答部６４Ｂが携帯電話端末１００からの状態変化通知要求に応じて、定期的に状態記憶部５２Ｂへ状態問合せを行う。応答部６４Ｂは、状態記憶部５２Ｂへ記録されている携帯電話端末３００の状態が変化したことを検知して状態変化通知応答命令を出力する。ＳＭＳ送受信部６３Ｂは、電話番号Ａ宛てに状態変化通知応答を記録したショートメッセージＢを作成する。通信処理部６１Ｂは、ショートメッセージＢを携帯電話端末１００へ送信する。
このようにすることで、回線システム２００へ変更を加えることなく、携帯電話端末１００は、一度状態通知を受けた場合に、携帯電話端末３００が「通話不可」のような場合においても、その後、状態が「通話可能」に変化したことを検知することが可能となる。
なお、この携帯電話端末３００は、状態変化通知要求を受けた場合、状態情報が「通話可」になった場合にのみ状態変化通知応答を応答する動作方法としてもよい。また、状態変化通知要求において、いずれの状態になった場合に状態情報を応答するのかを指定する動作方法としてもよい。
【００７５】
（圏外状態の動作方法）
次に、図６を用いて、携帯電話端末１００から携帯電話端末３００へ状態取得を行った場合で、携帯電話端末３００が「圏外」にある場合の動作方法を説明する。
【００７６】
（ステップＳ５０〜ステップＳ５２）
ステップＳ５０からステップＳ５２までは、ステップＳ１からステップＳ３までと同様であるので説明を省略する。
【００７７】
（ステップＳ５３）
回線システム２００は、携帯電話端末１００から電話番号Ｂ宛てのショートメッセージＡを受信する。回線システム２００は、他ショートメッセージと同様の処理で、当該ショートメッセージＡを電話番号Ｂ宛てに転送する。しかし、携帯電話端末３００は、「圏外」状態であるので、ショートメッセージＡを受信することができない。
【００７８】
（ステップＳ５４）
回線システム２００は、携帯電話端末３００が、圏外であることを検知する。この場合、回線システム２００が、携帯電話端末１００に対して、ショートメッセージＡの転送不可通知（Ｆａｉｌｕｒｅ  Ｒｅｐｏｒｔ）として、ショートメッセージＡのＳＭＳ圏外応答を送信する。なお、回線システム２００が、携帯電話端末１００が圏外にあることを検知する動作方法、及び、携帯電話端末１００へ転送不可通知を送信する動作方法は、公知の技術によるため説明は省略する。
【００７９】
（ステップＳ５５）
携帯電話端末１００の通信処理部６１Ａは、無線部４０を介して、回線システム２００から、ショートメッセージＡのＳＭＳ圏外応答を入力する。通信処理部６１Ａは、ショートメッセージＡのＳＭＳ圏外応答を情報取得部６２Ａへ通知する。情報取得部６２Ａは、ＳＭＳ圏外応答を入力して、携帯電話端末３００が圏外にあるためショートメッセージＡを受信できなかったことを検知する。情報取得部６２Ａは、携帯電話端末３００が「圏外」状態にあることを、表示部２０Ａへ出力する。
なお、この後、情報取得部６２Ａが、携帯電話端末３００の電話番号Ｂを記憶して、定期的に携帯電話端末３００の状態取得命令を出力することによって、携帯電話端末３００がエリア内に戻り「圏外」状態でなくなったことを検知するようにしてもよい。この場合は、ステップＳ５０からステップＳ５３までの動作を定期的に繰り返せばよい。例えば、携帯電話端末３００が「圏外」状態から「通話可能」状態へ変化した場合には、ステップＳ１からステップＳ１１までの動作と同様になる。
【００８０】
以上が、携帯電話端末１００から携帯電話端末３００へ状態取得を行った場合で、携帯電話端末３００が「圏外」にある場合の動作方法の説明である。回線システム２００からの転送不可通知を検出することによって、携帯電話端末３００が「圏外」状態にあることを検出するため、携帯電話端末１００は、回線システム２００に変更を加えることなくとも、携帯電話端末３００の状態を取得することができる。
【００８１】
なお、携帯電話端末１００は、回線システム２００から、転送不可通知を受信して携帯電話端末３００が「圏外」状態にあることを検出している。これを、ショートメッセージＡを送信してから、一定の時間を計測することによって、タイムアウトを検知して、携帯電話端末３００は「圏外」であると判定する動作方法としてもよい。
【００８２】
以上が、本実施例における動作方法の説明である。
【００８３】
以上、説明してきたとおり、本発明によれば、回線システム２００に変更を加えることが無しに、発信側のユーザーが選択した携帯電話番号へ発信をする前に、対向側携帯電話端末の状態を取得することが可能となる。
なお、説明してきた構成及び動作方法には、省略が可能、他の方法によって置き換えが可能、あるいはさらに機能を追加応用することが可能な部分がある。以下に、そのような例を述べる。
【００８４】
まず、情報取得部６２が取得した状態通知をユーザーへ通知する方法について、上述の説明においては、表示部２０へ出力するとしている。これは、受信したショートメッセージを表示部２０へ表示することによって実現する。また、いくつかの他の方法によっても実現可能である。例えば、着信音のような音を音声入出力部１０から発生させる方法や、携帯電話端末１００にＬＥＤ（Ｌｉｇｈｔ  Ｅｍｉｔｔｉｎｇ  Ｄｉｏｄｅ）等が備えられている場合にはＬＥＤを点滅させる方法や、ＬＣＤにポップアップを表示する方法等が考えられる。あるいは、これらを同時に出力してもよい。
【００８５】
また、携帯電話端末３００のユーザーが予め登録しておいた文章や音声等のメッセージを、状態応答通知を記録するショートメッセージＢへ同時に記録して応答してもよい。携帯電話端末１００は、ショートメッセージＢを受信すると、ショートメッセージＢに記録されたメッセージを表示部２０Ａや音声入出力部１０Ａへ出力する。例えば、携帯電話端末３００は、「運転中」の状態通知を返すときに、「東京から下田へドライブ中。ＰＭ１８：００頃到着予定。」といった、テキストデータまたは音声データ等によるメッセージをショートメッセージＢへ記録して応答する。携帯電話端末１００のユーザーは、ショートメッセージＢに記録されたメッセージを、表示部２０Ａや音声入出力部１０Ａにて確認することで、携帯電話端末３００のユーザーの現在状態を、より具体的に知ることが可能となる。また、携帯電話端末１００のユーザーが、状態変化通知を選択する基準にもなる。
【００８６】
さらに、携帯電話端末３００が、位置情報を取得するためのＧＰＳアンテナを備えている場合には、状態通知応答のショートメッセージに位置情報データを記録して応答してもよい。これによって、携帯電話端末１００では、当該位置情報データを地図に対応させて表示することなどが可能となる。このようにすれば、携帯電話端末１００のユーザーは、地図情報をもとにして、現在の携帯電話端末３００のユーザーの状況をより詳しく知ることが可能となる。
【００８７】
次に、許可リスト５３が記憶する情報と応答部６４が問い合わせる情報について、上述の説明においては、応答部６４は、許可リスト５３に電話番号が記載されているかを問い合わせている。これを、許可リスト５３に記載された電話番号にさらにフラグを持たせることによって細かく分類してもよい。例えば、許可リスト５３に記載されている電話番号のうち、フラグの立っている電話番号からの応答には、前述の位置情報を添付して応答する方法や、許可リスト５３は、電話番号記憶部５１に保存されている電話帳に記憶されている電話番号に対して応答する方法や、さらに電話帳に記憶されている電話番号のうちフラグの立っている特定の人間にのみ応答を返す方法などが考えられる。
【００８８】
また、状態通知要求（あるいは状態通知応答）や許可リスト５３では、電話番号に基づいて識別を行っているが、これを、携帯電話端末に固有な識別番号等によって識別する方法としてもよい。
【００８９】
また、本実施例においては、ＳＭＳを通信のベアラとしているが、これはＳＭＳに限定しない。回線システム２００を通じて同様のデータの送受信が可能な機能であれば、本発明は実現可能である。
【００９０】
なお、上記説明における各通知及び応答は、ＳＭＳを利用する場合であって、課金が伴う場合には、各通知及び応答を送信する前に、ポップアップ等によって課金される旨を通知して、ユーザーの許可を仰ぐ方法としてもよい。
【００９１】
最後に、本実施例においては、携帯電話端末１００を発信側、携帯電話端末３００を受信側としているが、いうまでもなく、これは携帯電話端末３００を発信側、携帯電話端末１００を受信側としても同様である。また、本発明は、複数の携帯電話端末から１つの携帯電話端末へ、同時に状態通知要求が送られた場合にも、応答部６４が時間的に差をつけて処理を行うことで問題なく処理することが可能である。
【図面の簡単な説明】
【００９２】
【図１】本実施例における、携帯電話端末の状態通知システムの構成図である。
【図２】本実施例における、携帯電話端末の機能ブロック図である。
【図３】本実施例における、受信側状態が通話可能状態時の動作フローである。
【図４】本実施例における、受信側状態が通知拒否状態時の動作フローである。
【図５】本実施例における、受信側状態が通話不可状態時の動作フローである。
【図６】本実施例における、受信側状態が圏外状態時の動作フローである。
【符号の説明】
【００９３】
１０  音声入出力部
２０  表示部
３０  入力部
４０  無線部
５０  記憶部
５１  電話番号記憶部
５２  状態記憶部
５３  許可リスト
６０  制御部
６１  通信処理部
６２  情報取得部
６３  ＳＭＳ送受信部
６４  応答部
１００  携帯電話端末
２００  回線システム
３００  携帯電話端末
【図１】
0005003961.tif 000002
【図２】
0005003961.tif 000003
【図３】
0005003961.tif 000004
【図４】
0005003961.tif 000005
【図５】
0005003961.tif 000006
【図６】
0005003961.tif 000007